(57)【要約】  本発明は、ユーザーの皮膚に対して付着機能を果たすパッドと、このパッドを介して支持されながら当該皮膚に対してリフティング作用をするマッサージ部との連係構成によって、皮膚に自動方式でリフティング作用をする、皮膚のリフティング機能を有するマッサージ機に関する。本発明に係る皮膚のリフティング機能を有するマッサージ機は、皮膚に付着されるパッドと、前記パッドを介して支持され、電源供給の際に、前記パッドと接する皮膚を押し上げたり下げたりする動作を繰り返すマッサージ部と、前記マッサージ部に電源を供給する電源供給部とを含むことができる。また、前記マッサージ部は、一面の両側に一対のガイド壁が向かい合うように形成される本体と、前記ガイド壁同士の向かい合う一面に該当ガイド壁の長さ方向に沿って連続的に設置される複数のマグネットと、前記一対のガイド壁同士が向かいある両面にコイルがそれぞれ結合され、前記コイルへの電源供給の際に、前記マグネットが設置された前記ガイド壁同士の間において往復移動するマッサージブロックと、前記本体に設置され、前記マッサージブロックの位置値を取得するリニアスケールとを含むことができる。
2019503755.tif 000002
【特許請求の範囲】
【請求項１】
皮膚に付着されるパッド（１１０）と、
前記パッド（１１０）を介して支持され、電源供給の際に前記パッド（１１０）と接する皮膚を少なくとも一方向に加圧するマッサージ部（１２０）と、
前記マッサージ部（１２０）に電源を供給する電源供給部（１３０）とを含み、
前記マッサージ部（１２０）は、前記皮膚と前記パッドとの接触の際に形成される接触平面に対して水平な方向に前記皮膚を加圧する、皮膚のリフティング機能を有するマッサージ機。
【請求項２】
皮膚に付着されるパッド（１１０）と、
前記パッド（１１０）を介して支持され、電源供給の際に前記パッド（１１０）と接する皮膚を少なくとも一方向に加圧するマッサージ部（１２０）と、
前記マッサージ部（１２０）に電源を供給する電源供給部（１３０）とを含み、
前記マッサージ部（１２０）は、両方向に直線往復駆動して前記皮膚を両方向に加圧する、皮膚のリフティング機能を有するマッサージ機。
【請求項３】
前記マッサージ部（１２０）はシリンダー、リニアモーター及びリニアステッピングモーターのいずれかの一つである、請求項１または２に記載の皮膚のリフティング機能を有するマッサージ機。
【請求項４】
皮膚に付着されるパッド（１１０）と、
前記パッド（１１０）を介して支持され、電源供給の際に前記パッド（１１０）と接する皮膚を少なくとも一方向に加圧するマッサージ部（１２０）と、
前記マッサージ部（１２０）に電源を供給する電源供給部（１３０）とを含み、
前記マッサージ部（１２０）は、
一面の両側に一対のガイド壁（１２１ａ）が向かい合うように形成される本体（１２１）と、
前記ガイド壁（１２１ａ）同士の向かい合う一面に該当ガイド壁（１２１ａ）の長さ方向に沿って連続的に設置される複数のマグネット（１２２）と、
前記ガイド壁（１２１ａ）同士が向かい合う両面にコイル（１２３ａ）がそれぞれ結合され、前記コイル（１２３ａ）への電源供給の際に、前記マグネット（１２２）が設置された前記ガイド壁（１２１ａ）同士の間において往復移動するマッサージブロック（１２３）と、
前記本体（１２１）に設置され、前記マッサージブロック（１２３）の位置の値を取得するリニアスケール（１２４）とを含むことを特徴とする、皮膚のリフティング機能を有するマッサージ機。
【請求項５】
前記電源供給部（１３０）は、前記マッサージブロック（１２３）のコイル（１２３ａ）に対する電源オン／オフスイッチ（１３１）を含み、前記コイル（１２３ａ）に電源を供給し、
前記電源供給部（１３０）を制御して、前記コイル（１２３ａ）に供給される電流の強さを調節し、前記リニアスケール（１２４）から入力される信号に応じて前記マッサージブロック（１２３）の移動を制御する制御部（１４０）と、
前記電源供給部（１３０）の電源オン／オフスイッチ（１３１）及び前記制御部（１４０）の前記コイル（１２３ａ）に対する電流強さ調節用スイッチ（１４１）の操作部位を外部に露出させる状態で、前記電源供給部（１３０）及び制御部（１４０）を内側に収容して、前記マッサージ部（１２０）に対する外部操作部が形成される操作部ケース（１５０）とを、
さらに含むことを特徴とする、請求項４に記載の皮膚のリフティング機能を有するマッサージ機。
【請求項６】
前記電源供給部（１３０）は、
前記マッサージブロック（１２３）のコイル（１２３ａ）と電気的に接続されて前記マッサージ部（１２０）に設置される第１コネクタ（１３２）と、
前記電源オン／オフスイッチ（１３１）と電気的に接続されて所定の長さで延びるリード線（１３３）と、
前記リード線（１３３）の延長端部に設置され、前記第１コネクタ（１３２）に脱着される第２コネクタ（１３４）とを含み、
前記電源供給部（１３０）、前記制御部（１４０）及び前記操作部ケース（１５０）を含む外部操作部は、前記マッサージ部（１２０）に脱着できることを特徴とする、請求項５に記載の皮膚のリフティング機能を有するマッサージ機。
【請求項７】
前記操作部ケース（１５０）は、ユーザーの首にかけるためのネックストラップ（１６０）を含むことを特徴とする、請求項５に記載の皮膚のリフティング機能を有するマッサージ機。
【請求項８】
前記マッサージ部（１２０）は、前記パッド（１１０）に内蔵され、前記マッサージブロック（１２３）が前記パッド（１１０）の内面を介して支持されながら、前記本体（１２１）のガイド壁（１２１ａ）同士の間に位置することを特徴とする、請求項４に記載の皮膚のリフティング機能を有するマッサージ機。
【発明の詳細な説明】
【技術分野】
【０００１】
本発明は、ユーザーの皮膚に付着されるパッドと、このパッドを介して支持されながら当該皮膚に対してリフティング作用を果たすマッサージ部との連係構成によって、皮膚を自動方式でリフティングできる、皮膚のリフティング機能を有するマッサージ機に関する。
【背景技術】
【０００２】
一般に、人間は、年齢に比例して老化が進むにつれて、皮膚の弾力性が低下し、重力に対する抵抗力も徐々に失われ、皮膚のたるみ現象であるシワが身体のあちこちに生じる。これは、自然の摂理であって、逆らえない現象である。
【０００３】
それに比べ、産業及び経済の発展により生活が豊かになるにつれて、現代人は、老若男女を問わず、より若くて美しい顔及び身体を持つことを希望するとともに、その状態をできる限り長い間保持することを希望する。
【０００４】
これにより、最近、国内だけでなく、世界の多くの国で美容及び整形産業が急速に成長しており、これに関連する化粧品業界も継続的に成長する傾向にあり、様々な機能性化粧品が開発されるとともに、さまざまな機能及び形態の美容機器が続々と登場している。
【０００５】
例えば、微細電流刺激（ｍｉｃｒｏｃｕｒｒｅｎｔ）を皮膚に流してリフティング機能を果たす美容機器が提供されている。
【０００６】
しかし、このような美容機器は、微電流刺激を利用するものなので、電気的刺激に対して拒否感または不安を感じるユーザーの場合にはその使用に消極的になり、肌が弱いか敏感なユーザーの場合には皮膚が損傷されるか又はかゆみなどの軽い皮膚疾患が起きる場合がある。
【０００７】
一方、本出願人は、韓国登録実用新案第４４８８９７号（考案の名称：携帯用顔面マッサー機を備えた化粧品容器）、韓国公開実用新案第２０１１−０００４５１３号（考案の名称：クリーム化粧品用マッサージ器具）、韓国登録実用新案第４４７４０４号（考案の名称：マッサージ用ローラー）など、ユーザーが手動操作によるリフティング方式のマッサージによって美肌効果を得ることができるマッサージ機を提案している。
【０００８】
そして、本出願人は、これをさらに発展させた形態である、人の皮膚、特に顔の皮膚に対するリフティング機能を自動方式で提供できるマッサージ機を本発明として提案するようになった。
【先行技術文献】
【特許文献】
【０００９】
【特許文献１】韓国登録実用第２０−０２７６４１４号（２００２年５月２１日公告）、「皮膚リフティングマッサージ用マスク」
【特許文献２】韓国公開特許第１０−２０１１−００２０５２３号（２０１１年３月３日公開）、「顔の皮膚をリフトさせる美容器具」
【発明の概要】
【発明が解決しようとする課題】
【００１０】
本発明の実施形態は、ユーザーの皮膚に対するリフティング作用を自動方式で提供することができるようにした、皮膚のリフティング機能を有するマッサージ機を提供する。
【００１１】
また、本発明の実施形態は、ユーザーの皮膚に付着できるパッドと、このパッドを介して支持されながら、当該皮膚をリフティングできるマッサージ部との連係構成によって、皮膚に自動方式でリフティング作用をする、皮膚のリフティング機能を有するマッサージ機を提供する。
【課題を解決するための手段】
【００１２】
本発明の実施形態に係る皮膚のリフティング機能を有するマッサージ機は、皮膚に付着されるパッドと、前記パッドを介して支持されながら、電源供給の際に、前記パッドと接する皮膚を少なくとも一方向に加圧するマッサージ部と、前記マッサージ部に電源を供給する電源供給部とを含むことができる。
【００１３】
また、前記マッサージ部は、前記皮膚と前記パッドとの接触時に形成される接触平面に対して水平な方向に前記皮膚を加圧できる。
【００１４】
また、前記マッサージ部は、両方向に直線往復駆動して前記皮膚を両方向に加圧することもできる。
【００１５】
また、前記マッサージ部は、シリンダー、リニアモーター及びリニアステッピングモーターのいずれかの一つであり得る。
【００１６】
また、前記マッサージ部は、一面の両側に一対のガイド壁が向かい合うように形成された本体と、前記ガイド壁同士の向かい合う一面に該当ガイド壁の長さ方向に沿って連続的に設置される複数のマグネットと、前記のガイド壁同士が向かいあう両面にコイルがそれぞれ結合され、前記コイルへの電源供給の際に、前記マグネットが設置された前記ガイド壁同士の間において往復移動するマッサージブロックと、前記本体に設置され、前記マッサージブロックの位置値を取得するリニアスケールとを含むことができる。
【００１７】
また、前記電源供給部は、前記マッサージブロックのコイルに対する電源オン／オフスイッチを含む状態で前記コイルに電源を供給し、本発明の実施形態に係る皮膚のリフティング機能を有するマッサージ機は、前記電源供給部を制御して、前記コイルに供給される電流の強さを調節し、前記リニアスケールから入力される信号に応じて前記マッサージブロックの移動を制御する制御部と、前記電源供給部の電源オン／オフスイッチ及び前記制御部の前記コイルに対する電流強さ調節用スイッチの操作部位を外部に露出させる状態で前記電源供給部及び制御部を内側に収容して、前記マッサージ部に対する外部操作部が形成されるようにする操作部ケースとをさらに含むことができる。
【００１８】
また、前記電源供給部は、前記マッサージブロックのコイルと電気的に接続される状態で前記マッサージ部に設置される第１コネクタと、前記電源オン／オフスイッチと電気的に接続される状態で所定の長さで延びるリード線と、前記リード線の延長端部に設置され、前記第１コネクタに脱着される第２コネクタとを含み、前記電源供給部、前記制御部及び前記操作部ケースを含む外部操作部は、前記マッサージ部に脱着できる。
【００１９】
また、前記操作部ケースは、ユーザーの首にかけるためのネックストラップを含んでもよい。
【００２０】
また、前記マッサージ部は、前記パッドに内蔵され、前記マッサージブロックが前記パッドの内面を介して支持されながら前記本体のガイド壁同士の間に位置されてもよい。
【発明の効果】
【００２１】
本発明の実施形態によれば、ユーザーの皮膚に対するリフティング作用を自動方式で提供することができるマッサージ機が提供される。
【００２２】
また、ユーザーの皮膚に対して付着機能を果たすパッドと、このパッドを介して支持されながら当該皮膚をリフティングできるマッサージ部との連係構成によって、皮膚に自動方式でリフティング作用を提供することができる。
【図面の簡単な説明】
【００２３】
【図１】本発明の一実施形態に係る皮膚のリフティング機能を有するマッサージ機の斜視図である。
【図２】本発明の一実施形態に係る皮膚のリフティング機能を有するマッサージ機におけるマッサージ部を別の方向からみた斜視図である。
【図３】本発明の一実施形態に係る皮膚のリフティング機能を有するマッサージ機における電気的構成を示すブロック図である。
【図４】本発明の一実施形態に係る皮膚のリフティング機能を有するマッサージ機の使用状態を示す図である。
【発明を実施するための形態】
【００２４】
以下の本発明についての詳細な説明は、本発明が実施され得る実施形態であり、該当実施形態に対する例示として示された添付図面を参照する。これらの実施形態は、当業者が本発明を実施することができるように十分詳細に説明された。本発明の様々な実施形態は、互いに異なるが、相互排他的である必要はないことが理解されるべきである。例えば、ここに記載されている特定の形状、構造及び特性は、一実施形態に関連して本発明の思想及び範囲を逸脱することなく、他の実施形態に具現化できる。また、それぞれの記載された実施形態内の個別構成要素の位置または配置は、本発明の思想及び範囲を逸脱することなく変更できることが理解されるべきである。
【００２５】
したがって、後述する詳細な説明は、限定的な意味で取ろうとするものではなく、本発明の範囲は、適切に説明されれば、その請求の範囲が主張するのと均等なすべての範囲とともに請求の範囲によってのみ限定される。図面における類似の参照符号は、様々な側面にわたって同一または類似の機能を指す。
【００２６】
本発明で使用される用語は、本発明における機能を考慮しながら出来る限り現在広く使用される一般な用語を選択したが、これは、当該分野に従事する技術者の意図または判例、新しい技術の出現などによって変わり得る。また、特定の場合は、出願人が任意に選定した用語もあり、この場合、該当する発明の説明部分で詳細にその意味を記載する。よって、本発明で使用される用語は、単純な用語の名称ではなく、その用語が持つ意味と本発明の全般にわたる内容に基づいて定義されるべきである。
【００２７】
発明全体において、ある部分がある構成要素を「含む」とするとき、これは、特に反対される記載がない限り、他の構成要素を除外するのではなく、他の構成要素をさらに含むことができることを意味する。また、明細書に記載された「・・・部」、「・・・モジュール」などの用語は少なくとも一つの機能や動作を処理する単位を意味し、これは、ハードウェアまたはソフトウェアで実現されるか、或いはハードウェアとソフトウェアとの組み合わせで実現され得る。
【００２８】
以下、図１乃至図４を参照して、本発明の一実施形態に係る皮膚のリフティング機能を有するマッサージ機について説明する。
【００２９】
図１は本発明の一実施形態に係る皮膚のリフティング機能を有するマッサージ機の斜視図、図２は本発明の一実施形態に係る皮膚のリフティング機能を有するマッサージ機におけるマッサージ部を別の方向からみた斜視図、図３は本発明の一実施形態に係る皮膚のリフティング機能を有するマッサージ機における電気的構成を示すブロック図、図４は本発明の一実施形態に係る皮膚のリフティング機能を有するマッサージ機の使用状態を示す図である。
【００３０】
図示の如く、本発明の一実施形態に係る皮膚のリフティング機能を有するマッサージ機１００（以下、「マッサージ機」と略記する）は、パッド１１０、マッサージ部１２０、及び電源供給部１３０を含んで構成される。また、本発明の一実施形態に係るマッサージ機１００は、制御部１４０及び操作部ケース１５０をさらに含んで構成できる。
【００３１】
パッド１１０は、皮膚に付着する部分である。これにより、パッド１１０は、一面に、皮膚に対する付着機能の粘着層（図示せず）を有する。すなわち、パッド１１０は、低周波刺激機などの医療機器における、患者の患部に付着するパッドの構成と類似または同一の形態であると理解すれば良いだろう。よって、マッサージ機１００の未使用の際には、パッド１１０の粘着層がある一面に離型紙１７０を貼り付けて保管し、マッサージ機１００の使用の際には、このような離型紙１７０をパッド１１０から分離してから使用する方式が採用できる。
【００３２】
マッサージ部１２０は、パッド１１０を介して支持され、電源供給の際に、パッド１１０と接する皮膚を少なくとも一方向に加圧する機能を果たす。言い換えれば、マッサージ部１２０は、マッサージ機１００における、実際にリフティング方式のマッサージを行う部分である。本実施形態において、パッド１１０及びマッサージ部１２０が、顔のほうれい線が生じる領域で使用されることを例にしたので、これを参照して説明すれば、マッサージ部１２０は、パッド１１０を介して、顔のほうれい線が生じる領域に位置して、当該領域の皮膚を加圧によって押し上げた後、下がって再び押し上げる動作を繰り返す。
【００３３】
パッド１１０の皮膚に対する付着、及びそれに伴う皮膚とパッド１１０との接触の際に、皮膚とパッド１１０との接触部分が形成する平面に対して水平な仮想の平面を「接触平面」と定義するとき、マッサージ部１２０は、前記接触平面に水平な方向に皮膚を加圧できる。
【００３４】
また、マッサージ部１２０は、両方向に直線往復駆動して皮膚を両方向に加圧できる。これは、ユーザーの顔部位のうち、額の皮膚をマッサージする際により効率のよい加圧動作に該当する。
【００３５】
マッサージ部１２０は、シリンダー、リニアモーター及びリニアステッピングモーターのいずれかを含むことにより、マッサージの対象となる皮膚に対する加圧動力を得られる。
【００３６】
以下、マッサージ部１２０を本実施形態に基づいて説明するが、本発明はこれに限定されるものではない。マッサージ部１２０は、パッド１１０を介してユーザーの皮膚に支持され、当該皮膚領域をリフティング方式のマッサージできる条件を満たす範囲内で様々な構成を有する。
【００３７】
マッサージ部１２０は、本体１２１、複数のマグネット１２２、マッサージブロック１２３及びリニアスケール１２４を含んで構成される。
【００３８】
本体１２１は、一面の両側に、一対のガイド壁１２１ａが向かい合うように形成される。
【００３９】
マグネット１２２は、本体１２１に形成されるガイド壁１２１ａ同士の向かい合う一面に、当該ガイド壁１２１ａの長さ方向に沿って連続的に設置される。
【００４０】
マッサージブロック１２３は、本体１２１に形成されるガイド壁１２１ａと向かい合う両面にコイル１２３ａがそれぞれ結合され、コイル１２３ａへの電源供給の際に、マグネット１２２が設置されたガイド壁１２１ａ同士の間で往復移動する機能を果たす。
【００４１】
リニアスケール１２４は、本体１２１に設置され、マッサージブロック１２３の位置値を取得する。
【００４２】
すなわち、本実施形態に係るマッサージ部１２０は、全体的にリニアモーターの構成を有する。
【００４３】
そして、本実施形態では、マッサージ部１２０がパッド１１０に内蔵され、パッド１１０の内面を介して支持され、本体１２１のガイド壁１２１ａの間に位置することを例にしたが、本発明はこれに限定されるものではない。
【００４４】
電源供給部１３０は、マッサージ部１２０に電源を供給する。このような電源供給部１３０は、マッサージブロック１２３のコイル１２３ａに対する電源オン／オフスイッチ１３１を含み、電源オン／オフスイッチ１３１のオン（ＯＮ）動作の際にマッサージブロック１２３のコイル１２３ａに電力を供給する。
【００４５】
制御部１４０は、電源供給部１３０を制御して、マッサージブロック１２３のコイル１２３ａに供給される電流の強さを調節し、リニアスケール１２４から入力される信号に基づいてマッサージブロック１２３の移動を制御する。
【００４６】
操作部ケース１５０は、電源供給部１３０の電源オン／オフスイッチ１３１及び制御部１４０のコイル１２３ａに対する電流強さ調節用スイッチ１４１の操作部位を外部に露出させる状態で、電源供給部１３０及び制御部１４０を内側に収容する。すなわち、操作部ケース１５０には、マッサージ部１２０に対する外部操作部が形成されている。
【００４７】
電源供給部１３０は、マッサージブロック１２３のコイル１２３ａと電気的に接続される状態で、マッサージ部１２０に設置される第１コネクタ１３２、電源オン／オフスイッチ１３１と電気的に接続される状態で所定の長さで延びるリード線１３３、及びリード線１３３の延長端部に設置され、第１コネクタ１３２に脱着される第２コネクタ１３４を含んでもよい。これにより、電源供給部１３０、制御部１４０及び操作部ケース１５０を含む外部操作部が、マッサージ部１２０から脱着可能な状態で使用できる。
【００４８】
また、操作部ケース１５０は、ユーザーの首にかけるためのネックストラップ１６０を含むことができる。これにより、マッサージ機１００のユーザーは、１マッサージ機１００と繋がっているネックストラップ１６０を首にかけた後、パッド１１０及びマッサージ部１２０を皮膚に付着させ、次いで外部操作部の電源オン／オフスイッチ１３１及び電流強さ調節用スイッチ１４１を操作して当該皮膚にリフティング機能やマッサージ機能の提供を受けることができる。
【００４９】
電流強さ調節用スイッチ１４１の機能について敷衍説明すると、電流強さ調節用スイッチ１４１によって、マッサージブロック１２３のコイル１２３ａに供給される電流の強さを調節することにより、マッサージ部１２０によるリフティング機能のマッサージの強さ及び速度などの調節ができる。
【００５０】
一方、本実施形態では、パッド１１０及びマッサージ部１２０がそれぞれ一対ずつ構成され、一対のマッサージ部１２０に第１コネクタ１３２がそれぞれ設置され、リード線１３３が、電源オン／オフスイッチ１３１に並列接続される一対から構成され、一対のリード線１３３の延長端部に第２コネクタ１３４がそれぞれ設置される形態を例にしたが、本発明はこれに限定されるものではなく、パッド１１０及びマッサージ部１２０の個数及びそれに伴う第１コネクタ１３２、リード線１３３、第２コネクタ１３４の個数は、必要に応じて多様に変更できる。
【００５１】
上述した図１乃至図４を参照した説明から分かるように、本発明に係る皮膚のリフティング機能を有するマッサージ機は、ユーザーの皮膚に対するリフティング作用を自動方式で提供することができる。
【００５２】
つまり、ユーザーの皮膚に対して付着機能を果たすパッドと、このパッドを介して支持されながら当該皮膚に対してリフティング作用をするマッサージ部との連係構成によって、皮膚に自動方式のリフティング作用を提供することができる。
【００５３】
以上の如く、本説明では、具体的な構成要素などの特定の事項、限定された実施形態及び図面によって説明されたが、これは本発明のより全般的な理解を助けるために提供されたものに過ぎず、本発明は、これらの実施形態に限定されるものではなく、本発明の属する分野における通常の知識を有する者であれば、このような記載から多様な修正及び変形が可能である。
【００５４】
よって、本発明の思想は説明された実施形態に局限されて定められてはならず、後述する特許請求の範囲だけでなく、この特許請求の範囲と均等または等価的変形物もすべて本発明の思想の範疇に属すると理解すべきである。
【符号の説明】
【００５５】
１００    マッサージ機
１１０    パッド
１２０    マッサージ部
１２１    本体
１２１ａ    ガイド壁
１２２    マグネット
１２３    マッサージブロック
１２３ａ    コイル
１２４    リニアスケール
１３０    電源供給部
１３１    電源オン／オフスイッチ
１３２    第１コネクタ
１３３    リード線
１３４    第２コネクタ
１４０    制御部
１４１    電流強さ調節用スイッチ
１５０    操作部ケース
１６０    ネックストラップ
１７０    離型紙
【図１】
2019503755.tif 000003
【図２】
2019503755.tif 000004
【図３】
2019503755.tif 000005
【図４】
2019503755.tif 000006
【国際調査報告】
2019503755.tif 000007
2019503755.tif 000008
2019503755.tif 000009
2019503755.tif 000010